(57)【要約】  ドアハンドル（１）がドア（ｐ）と同一平面上にある静止位置と、ハンドルがドアに対して突き出ている作動位置との間で移動可能なものにおいて、前記ハンドル（１）は、第１のレバー（７）、第２のレバー（６）、少なくとも１つのタイロッド（８１、８２）、ハンドル（１）を静止位置に向かって弾性的にバイアスする手段（６１、７１）、カム（４）、及びロッド（５）を含んでいる。前記タイロッド（８１、８２）は、ヒンジ付き連結部（８０１、８０２）によって第１のレバー（７）及び第２のレバー（６）に連結された端部を有し、端部の少なくとも１つはタイロッド（８１、８２）に平行な第１の長方形の開口部（８１１）を有する。ロッド（５）は、カム（４）をタイロッド（８１、８２）に連結し、ピン（５１）を含んでいる。タイロッド（８１、８２）は更に、第１の長方形の開口（８１１）に平行であり、ハンドル（１）を作動位置から静止位置にスライドさせるためにロッド（５）のピン（５１）が延びる第２の長方形の開口（８１２）を有し、このピン（５１）は、弾性バイアス手段（６１、７１）の力が十分でない場合に、カム（４）のオーバートラベルによってハンドル（１）をモータ駆動により作動位置から静止位置にスライドさせる。【選択図】図１
2021528581.tif 000002
【特許請求の範囲】
【請求項１】
ハンドル（１）が、ドア（ｐ）と同一平面上にある静止位置と、前記ドアに対して突き出ている作動位置との間で移動可能な、格納式ドアハンドルであって、前記ハンドル（１）は、制御機構を備えており、
前記制御機構は、
前記ハンドルによって支えられた第１の回転軸（Ａ７）を中心に回転するように取り付けられた、第１のレバー（７）と、
前記ハンドルの長手方向において、前記第１の回転軸（Ａ７）に平行で前記第１の回転軸（Ａ７）から離れた位置で前記ハンドルによって支えられた第２の回転軸（Ａ６）の周りを旋回するように取り付けられた、第２のレバー（６）と、
少なくとも１つのタイロッド（８１、８２）であって、ヒンジ付き連結部（８０１、８０２）によって前記第１のレバー（７）及び前記第２のレバー（６）に連結された端部を有し、その少なくとも１つは前記タイロッド（８１、８２）に平行な第１の長方形の開口部（８１１）を有するタイロッドと、
前記ハンドル（１）を前記静止位置に向かって弾性的にバイアスする弾性バイアス手段（６１、７１）と、
前記ハンドル（１）を、モータ駆動アクチュエータ（３）を使用して前記静止位置と前記作動位置の間で平行移動させるために、回転軸（Ａ４）を中心に回転するように構成されたカム（４）と、
前記カム（４）を前記タイロッド（８１、８２）にリンクし、前記ロッド（５）の平面に対して垂直に延びるピン（５１）を含むロッド（５）とを備え、
前記第１のレバー（７）、前記第２のレバー（６）、前記タイロッド（８１、８２）、及び前記ハンドル（１）が、その変形により前記ハンドル（１）の並進変位を引き起こす変形可能なアセンブリを形成するものにおいて、
前記タイロッド（８１、８２）は、更に、前記第１の長方形の開口部（８１１）に平行な第２の長方形の開口部（８１２）を備えており、前記弾性バイアス手段（６１、７１）が十分でない場合に、前記カム（４）のオーバートラベルによって、前記ハンドル（１）をモータ駆動により前記作動位置から前記静止位置にスライドさせるために、前記ロッド（５）の前記ピン（５１）が前記第２の長方形の開口部を通って延びるように構成されていることを特徴とする格納式ドアハンドル。
【請求項２】
前記第１のレバー（７）の前記軸（Ａ７）、前記第２のレバー（６）の前記軸（Ａ６）、及び前記カム（４）の前記回転軸（Ａ４）は全て互いに平行であることを特徴とする請求項１に記載の格納式ドアハンドルの制御機構。
【請求項３】
前記ハンドル（１）の長手方向に延びる中央平面のいずれかの側に配置され、夫々が前記第１のレバー（７）及び前記第２のレバー（６）に連結された前記端部を有する２つの前記タイロッド（８１、８２）を備え、
前記タイロッド（８１、８２）の夫々が、前記ヒンジ付き連結部（８０１、８０２）によって前記第１のレバー（７）及び前記第２のレバー（６）に連結された少なくとも１つの前記端部を有し、
少なくとも一方の前記端部は、
前記タイロッド（８１、８２）に平行な第１の長方形の開口部（８１１）と、
前記第１の長方形の開口部（８１１）に平行な第２の長方形の開口部（８１２）とを有することを特徴とする請求項１又は２のいずれかに記載の格納式ドアハンドルの制御機構。
【請求項４】
前記ロッド（５）の前記ピン（５１）が延びる前記第２の長方形の開口部（８１２）は、前記第１の長方形の開口部（８１１）に平行であり、前記第１の長方形の開口部（８１１）よりも長い長さを有することを特徴とする請求項１〜３のいずれか１項に記載の格納式ドアハンドルの制御機構。
【請求項５】
前記カム（４）は、前記ハンドル（１）をスライドさせるために前記軸（Ａ６）の周りを回転させるように、前記第２のレバー（６）を支える横方向の接触面（４３）を有することを特徴とする請求項１〜４のいずれか１項に記載の格納式ドアハンドルの制御機構。
【請求項６】
前記カム（４）は、平面（４１）を有し、前記平面（４１）に、この平面（４１）に対して垂直な方向から装着によって前記ロッド（５）を受け入れるように構成された固定ピン（４４）を有することを特徴とする請求項１〜５のいずれか１項に記載の格納式ドアハンドルの制御機構。
【請求項７】
前記カム（４）は、前記モータ駆動アクチュエータ（３）の電気モータの出力軸に直接取り付けられていることを特徴とする請求項１〜６のいずれか１項に記載の格納式ドアハンドルの制御機構。
【請求項８】
前記変形が前記ハンドル（１）の前記並進変位を引き起こす前記変形可能なアセンブリは、前記変形がバイアス手段（６１、７１）の効果によって及び／又は前記モータ駆動アクチュエータ（３）の効果によって可逆的であるように構成されていることを特徴とする請求項１〜７のいずれか１項に記載の格納式ドアハンドルの制御機構。
【請求項９】
前記ハンドル（１）を前記静止位置に向かって弾性的にバイアスする前記弾性バイアス手段（６１、７１）は、前記第２のレバー（６）の前記回転軸（Ａ６）に固定され、前記第２のレバー（６）に前記静止位置に向かってバイアス力を加えるための前記ハンドルの固定用サポート（２）に支持された少なくとも１つのねじりばね（６１）を含むことを特徴とする請求項１〜８のいずれか１項に記載の格納式ドアハンドルの制御機構。
【請求項１０】
前記ハンドル（１）を前記静止位置に向かって弾性的にバイアスする前記弾性バイアス手段（６１、７１）は、前記第１のレバー（７）の前記回転軸（Ａ７）に固定され、前記第１のレバー（７）に前記静止位置に向かってバイアス力を加えるための前記ハンドルの固定用サポート（２）に支持された少なくとも１つの二重ねじりばね（７１）を含むことを特徴とする請求項１〜９のいずれか１項に記載の格納式ドアハンドルの制御機構。
【請求項１１】
前記ドア（ｐ）に固定された前記請求項１〜１０のいずれか１項に記載のハンドルを備える自動車（Ｖｅ）。
【請求項１２】
請求項１〜１１のいずれか１項に記載のドアハンドル（１）を移動させるための操作方法であって、
前記ハンドル（１）の前記静止位置から作動を開始して、前記カム（４）が、前記第２のレバー（６）の回転およびその前記作動位置への前記ハンドル（１）の前記並進変位を引き起こすために、前記静止位置から前記作動角位置に向かって第１の方向に回転し、
前記ハンドル（１）の前記作動位置から開始して、前記カムが前記第１の方向とは反対の第２の方向に戻り、前記静止位置に戻り、前記変形可能なアセンブリが、前記ハンドル（１）を前記静止位置に向かって弾性的にバイアスするために、前記弾性バイアス手段（６１、７１）によって加えられるバイアス力を受け、
もし、前記弾性バイアス手段（６１、７１）によって加えられる前記バイアス力が、前記ハンドル（１）を前記静止位置に向けてバイアスするのに十分でない場合、
前記モータ駆動アクチュエータ（３）は、前記ロッド（５）の前記ピン（５１）を介して前記タイロッド（８１、８２）を引っ張って、前記ハンドル（１）を復帰させるために、前記第１の方向とは反対の前記第２の方向に、前記カム（４）カムによるモータ駆動回転により前記オーバートラベルを実行することを特徴とするドアハンドル（１）を移動させるための操作方法。
【請求項１３】
前記ハンドル（１）前記制御機構は自動車のドアに固定されており、前記モータ駆動アクチュエータ（３）は前記カム（４）による前記モータ駆動回転を引き起こし、前記自動車が動いているときにのみ前記オーバートラベルを実行することを特徴とする請求項１２に記載のドアハンドル（１）を移動させるための操作方法。
【発明の詳細な説明】
【技術分野】
【０００１】
本発明は、ハンドルがドアと同一平面にある静止位置と、ハンドルがドアに対して突出した作動位置との間で移動可能なドアハンドルの制御機構に関する。
【背景技術】
【０００２】
特に自動車産業において、格納ハンドルを備えたドアが知られている。これらには、モータ駆動による展開が可能なものが含まれている。
更に、このハンドルの静止位置から作動位置への移動のために、旋回制御機構又は並進制御機構のいずれかを使用することが知られている。現在は、これらの機構の両方が使用されている。
【０００３】
特許文献１には、旋回制御機構を備えた自動車のドアハンドルが開示されている。この車ドアのハンドルは、
ドアを開けるために、車ドアのロックを作動させるように構成された作動要素と、ドアのロックを解除するために作動要素と協調するように構成された把持要素とを備え、この把持要素は把持部分を含み、
この把持要素は、把持部分がドアの外側パネルと同じ高さになる格納位置と、把持部分がアウターパネルに対して突出し、把持可能となるアクティブ位置との間で移動可能であり、
この把持要素は作動要素と協働し、ハンドルが作動要素を駆動してロックを作動させ、ドアのロックを解除する開放位置とし、そして最後に、駆動機構及び把持要素と協働するアクチュエータレバーにより、把持要素が格納位置とアクティブ位置との間で駆動される。
ハンドルは、グリップ要素が開放方向に沿って引っ張られると、グリップ要素が作動要素を駆動し、次に、ロックを作動させてドアのロックを解除するように構成されている。この格納式ドアハンドルの機構は、本質的にモータ駆動であり、ハンドルを格納に静止させ、また、アクティブな位置に向けて、すなわち、把持可能な位置に向けて駆動する。ドアを開けた後、ハンドルは、バネなどの弾性手段を使用して、格納位置に戻される。
【０００４】
更に、特許文献２には、並進制御機構を備えた自動車のドアハンドルとして、収納状態、展開状態、及び動作状態の３つの間で移動可能なハンドルを含む格納式ハンドル配置に関する発明が開示されている。この装置は、夫々が支持構造及びハンドルにリンクされた第１及び第２の手段を有する機構によって制御される。
これらの手段の少なくとも１つは、展開状態と動作状態との間のハンドルの動きに応答して移動可能なピボット軸を規定するヒンジを介して、支持構造に連結されている。ピボット軸のこの動きにより、例えばボーデンケーブルに作用するクランクを介して、ハンドルに関連付けられたドア又は別のクロージャーのロックを解除できる。
このような並進機構によって開かれる格納ハンドルに関連する発明は、特許文献３、特許文献４にも開示されている。
【先行技術文献】
【特許文献】
【０００５】
【特許文献１】ＥＰ３１０６５９６Ａ１
【特許文献２】ＷＯ２０１１／０８６１４４Ａ１
【特許文献３】ＤＥ１０２０１６１１２６８９Ａ１
【特許文献４】ＵＳ２０１６２９８３６６Ａ１
【発明の概要】
【発明が解決しようとする課題】
【０００６】
特許文献１に記載の装置の欠点は、ハンドルが静止位置からアクティブ位置に通過するために延びる開口部に、何らかの物質が存在する場合、弾性手段は、ハンドルをその静止位置に向かって引っ込めてドアと同じ高さにするには十分な力が無いということである。最悪の事例は、開口部における氷や霜の存在である。
【０００７】
前記並進制御機構には、かなりの負荷に耐えるという利点があるが、面倒であるという欠点がある。特許文献２で提示されているものは比較的コンパクトであるが、これはモータ駆動のアクチュエータがないためである。
【０００８】
従って、従来技術の大きな問題は、ハンドルの展開と引き込みのために、人のアクションが必要なことである。更に、ハンドルが静止位置からアクティブ位置に通過するために延びる開口部に物理的なものが存在する場合、弾性手段の力が、ハンドルをドアと同じ高さの静止位置に向かって引っ込めるのに十分ではない可能性がある。最も恐れられている例は、氷や霜の存在である。
【課題を解決するための手段】
【０００９】
本発明によれば、上記の問題に対処するために、特に、ラッチのロックを解除するのに使用された後、ハンドルの引き込みを妨げる望ましくない物理的な存在の問題を回避するために、ハンドルがドアと同一平面にある静止位置と、ハンドルがドアに対して突出した作動位置との間で移動可能なドアハンドルが提供される。このハンドルは、制御機構を備えており、前記制御機構は、
ハンドルによって支えられた第１の回転軸を中心に回転するように取り付けられた第１のレバーと、
ハンドルの長手方向において、第１の回転軸に平行で第１の回転軸から離れた位置でハンドルによって保持された第２の回転軸の周りを旋回するように取り付けられた、第２のレバーと、
ヒンジ付き連結部によって第１のレバー及び第２のレバーに連結された端部を有する、少なくとも１つのタイロッドであって、その少なくとも１つは、このタイロッドに平行な第１の長方形の開口部を有するタイロッドと、
ハンドルを静止位置に向かって弾性的にバイアスする弾性バイアス手段と、
モータ駆動のアクチュエータを使用してハンドルを静止位置と作動位置の間で移動させるために、その軸を中心に回転するように構成されたカムと、
カムをタイロッドにリンクし、ロッドの平面に対して垂直に延びるピンを含むロッドとを含み、
前記第１のレバー、前記第２のレバー、前記タイロッド、及び前記ハンドルが、変形可能なアセンブリを形成し、その変形によって前記ハンドルが並進変位するものにおいて、
前記タイロッドは、更に、前記第１の長方形の開口部に平行な第２の長方形の開口部を備えており、弾性バイアス手段が十分でない場合に、カムのオーバートラベルによって、ハンドルをモータ駆動により作動位置から静止位置にスライドさせるために、ロッドのピンが第２の長方形の開口部を通って延びるように構成されていることを特徴とする。
【００１０】
本発明の他の有利な態様によれば、個別にまたは組み合わせて実施することができる以下の点に留意されたい。
【００１１】
望ましくは、本発明によるドアハンドルの制御機構は、第１のレバーの回転軸、第２のレバーの回転軸、及びカムの回転軸の全てが互いに平行である。これにより、ドアの幅ではなく長さに関してハンドルが占める体積を拡張できると同時に、コンパクトさが増し、かさばりが軽減される。
【００１２】
ハンドルを静止位置から作動位置に向かって引き抜く際の安定性を高めるために、本発明によるドアハンドルの制御機構は、ハンドルの長手方向に延びる中央平面のいずれかの側に配置され、夫々がヒンジ付き連結部によって第１のレバー及び第２のレバーに連結された端部を有する２つのタイロッドを含み、
中央平面の  両端の少なくとも１つには、
タイロッドに平行な第１の長方形の開口部と、
第１の長方形の開口部に平行な第２の長方形の開口部がある。
【００１３】
好ましくは、本発明によるドアハンドルの制御機構は、第１の長方形の開口部に平行であり、ロッドのピンが延びる第２の長方形の開口部は、第１の長方形の開口部の長さよりも長い長さを有する。実際に、２つの長方形の開口部には異なる機能がある。
第１の開口部は、それ自体が既知のラッチのロック解除機能を提供し、この機能は、作動位置に達したときにドアを開けたいユーザが、（ボーデンケーブルを引っ張ることにより）加えた力に伴う回転によって実現される。第２の開口部は、本発明に関するものであり、カムの移動により異なる位置の採用を可能にし、カムが異なる角度位置にある間、ロッドのピンが第２の開口部内を移動できる。
従って、第１の長方形の開口部におけるロック解除に必要な移動は、ロック解除を容易にするために短いことが好ましく、一方、第２の開口部における移動及びモータ駆動による引き込みのためのオーバートラベルは、ハンドルが把持を容易にするのに十分に展開されなければならないため、長いほうが良い。
【００１４】
好ましくは、本発明によるドアハンドルの制御機構は、カムが第２のレバーに横方向の接触面ベアリングを有し、ハンドルをスライドさせるためにその軸の周りを回転させるようになっている。並進運動を生成するためのこの恒久的な接触は、取り付けられたピンによるドライブよりも少ないノイズを生成する。これは、ドアを開くために使用される度にハンドルを展開するための永続的な機能である。
【００１５】
更に、また好ましくは、カムは、平面に垂直な方向において、装着によってロッドを受け入れるように構成された固定ピンが出てくる平面を有する。これにより、モータ駆動により、オーバートラベルが発生した場合にタイロッドを引っ張ることができ、機構が破損する可能性が低くなる。
【００１６】
よりコンパクトにするために、理想的には、本発明による機構のカムは、アクチュエータの電気モータの出力軸に直接取り付けられる。
【００１７】
好ましくは、本発明によるドアハンドルの制御機構は、ハンドルの並進変位を引き起こす変形可能なアセンブリの変形が、バイアス手段の効果及び／又はモータ駆動アクチュエータの効果によって可逆的であるように構成される。この可逆性により、デフォルトで弾性手段を使用でき、氷や霜などの物理的な存在によって閉塞した場合は、モータ駆動によりハンドルを復帰できる。
【００１８】
好ましくは、ハンドルを静止位置に向かって弾性的にバイアスするための手段は、レバーにその静止角位置に向かってバイアス力を加えるために、第２のレバーの回転軸に固定され、ハンドルの固定支持部に支持された少なくとも１つのねじりばねを含んでいる。
【００１９】
好ましくは、ハンドルを静止位置に向かって弾性的にバイアスする弾性バイアス手段は、さらに、第２のエネルギー供給を有するために、そしてより堅牢性にするために、第１のレバーの回転軸に固定され、第１のレバーに第２のバイアス力を及ぼすようにハンドルの固定支持部に支持される二重ねじりばねを備えている。
【００２０】
好ましくは、本発明は、ドアに固定された本発明によるドアハンドルを含む自動車のドアもカバーする。
【００２１】
本発明はまた、本発明による機構を備え、以下の連続するステップを含む、ドアハンドルを変位させるための方法に関する。
ハンドルの静止位置から開始して、カムが静止角位置から作動角位置に向かって第１方向に回転し、第２のレバーの回転とハンドルの作動位置への並進変位を引き起こし、
ハンドルの作動位置から開始して、カムが第１の方向とは反対の第２の静止角位置に戻り、そして、
変形可能なアセンブリは、ハンドルをその静止位置に向かって弾性的にバイアスするための手段によって加えられるバイアス力を受ける。
もし、弾性バイアス手段によって加えられる力がハンドルをその静止位置に向けてバイアスするのに十分でない場合、アクチュエータは、ロッドのピンを通してタイロッドを引っ張ってハンドルを復帰させるために、カムによるモータ駆動回転により、第１の方向とは反対の第２の方向へのオーバートラベルを実行する。
【００２２】
好ましくは、本発明による方法における、ハンドル制御機構が自動車のドアに固定され、カムのモータ駆動による回転を引き起こすアクチュエータは、自動車が動いているときにのみオーバートラベルを実行する。車が動いているときにこの方法が実行されると、多くの利点が得られる。
【００２３】
実際、まず第１に、これは、ユーザがまだハンドルの開口部に指を置いたままで、アクチュエータに指が引っ掛かっている間に、弾性手段の力よりも大きな力がかかるモータ駆動によるハンドルの引き込みが発生するのを回避することを可能にする。
【００２４】
第２に、車が動き始めたら、アクチュエータにより生ずるノイズは、ユーザによってあまり知覚されないであろう。
【００２５】
最後に、第３に、運動学を電子制御してオーバートラベル角位置でそれを遮断することにより、慣性効果によってハンドルが外れるのを防ぐことができる。従って、事故の際にドアが開かれるのを回避するための追加的な手段が得られる。
【００２６】
本発明の他の特徴及び利点は、以下の説明を読むことで明らかになる。
【図面の簡単な説明】
【００２７】
【図１】本発明の一実施例による、ドアハンドルの制御機構の斜視図である。
【図２Ａ】前記ハンドルの、自動車のドアへ固定されるように構成されたサポートを示す図である。
【図２Ｂ】前記ハンドルの、第１のレバー及びその弾性バイアス手段の拡大図である。
【図３】本発明による前記ドアハンドルの制御機構の、背面図である。
【図４】本発明による前記ドアハンドルの制御機構における、変形可能なアセンブリを示す斜視図である。
【図５Ａ】本発明による前記ドアハンドルが、作動位置でブロックされる場合の、操作の１つのステップを示す図である。
【図５Ｂ】前記ドアハンドルが、作動位置でブロックされる場合の、操作の他のステップを示す図である。
【図５Ｃ】前記ドアハンドルが、作動位置でブロックされる場合の、操作の他のステップを示す図である。
【図５Ｄ】前記ドアハンドルが、作動位置でブロックされる場合の、操作の他のステップを示す図である。
【図６】ドアに固定された本発明による前記ハンドルを備えた、車を示す図である。
【発明を実施するための形態】
【００２８】
添付の図面を参照して、本発明の一実施例を詳述する。
本発明は、ドアのハンドル１の制御機構に関する。このハンドル１は、ハンドルがドアと同一平面上にある静止位置と、ハンドルがドアに対して突出した作動位置との間で移動可能である。
【００２９】
制御機構は、ハンドルをドアへ固定するためのボス２１を備えた、ケース又はサポート２を備えている（図２Ａを参照）。ハンドル１は、ドアの開口部内をスライドするようにして、このサポートに取り付けられる。
【００３０】
図１に、本発明の実施例によるハンドル１が示されている。
このハンドルの変位機構は、第１のレバー７を含んでいる。この第１のレバーは、第１のヒンジ付き連結部８０１によってタイロッド８１に連結されており、かつ、ハンドルによって保持された軸Ａ７（図３を参照）にヒンジで取り付けられている。
【００３１】
より具体的に説明すると、第１のレバー７は、大きな安定性を確保するために、中央平面に関して対称に、ハンドルの長手方向に沿って延びる、２つのタイロッド８１及び８２に連結されている。そして、第１のヒンジ付き連結部８０１の反対側の端部に、タイロッド８１および８２がヒンジによって連結されている第２のレバー６がある。これらのヒンジは、タイロッド８１および８２のそれぞれに形成され、第２のレバー６によって支えられ、これらのタイロッドに平行に延びる第２のヒンジ付き連結部８０２の長方形の開口部８１１に取り付けられた回転軸Ａ６（図３を参照）を備えている。
【００３２】
従って、第２のヒンジ付き連結部８０２の長方形の開口部は、タイロッドの長手方向において、各タイロッド８１、８２にクリアランスを与える。
もちろん、例えば図３及び図４に示すように、本発明には、１つのタイロッドに１つの単一のクリアランスが必要である。
【００３３】
また、図１において、本発明によるドアハンドル制御機構には、カム４によりレバー６及び７並びにタイロッド８１及び８２を変形させるための、第２のレバー６に直接軸支された、アクチュエータ３が存在する（図３及び図４を参照）。
【００３４】
実際、第１のレバー７は、ハンドル１の並進展開の安定性のためのサポートとして機能し、一方、第２のレバー６は、カム４を直接支えるレバーである。
【００３５】
図１に、軸Ａ６に沿って配置された２つのねじりばね６１が示されている。これらは、ハンドルがラッチのロックを解除してドアを開くために使用されると、ドアハンドルを作動位置から静止位置に向かってバイアスするように機能する。
【００３６】
図２Ａには、ケース又はサポート２、並びにハンドルと、自動車のドア上のサポートとによって構成されるドアハンドルのセットを固定するための、固定ボス２１が示されている。
【００３７】
図２Ｂには、ハンドルがラッチのロックを解除してドアを開くために使用された後、レバー７を作動位置から静止位置に向かって弾性的にバイアスする手段として機能する、二重ねじりばね７１が強調表示されている。
【００３８】
図３は、本発明によるハンドルの機構に並進展開の機能を持たせると同時に、コンパクト性を向上させるための、互いに平行な、第１のレバー７の回転軸Ａ７、第２のレバー６の回転軸Ａ６、及び、カム４の回転軸Ａ４を示している。
【００３９】
本発明による装置は、車（Ｖｅ）のドア（ｐ）内の地面に垂直な平面、すなわち別の機能のために意図された空間を占める可能性が高くより扱いにくい垂直な平面で延びるものではなく、地面に平行な平面に縦方向に延びるという利点がある。
【００４０】
同じ図３には、カム４をタイロッド８１に連結する、ロッド５が示されている。このロッド５は、図４にも示され、このロッド５の平面に対して垂直に延びるピン５１がある。
【００４１】
図４には、変形可能なアセンブリを構成する第１のレバー７、第２のレバー６、及びタイロッド８１、８２が示されており、それらの変形により、ハンドル１の並進変位を引き起こす。
【００４２】
この変位の動きは、平面４１及び横方向接触面４３を有するカム４によって生成される。装着時にロッド５を受け入れるように構成された固定ピン４４は、平面４１に垂直な方向において、平面４１から外に伸びている。
【００４３】
ロッド５の反対側にはピン５１があり、このピンは、タイロッド８１に設けられた第２の長方形の開口部８１２を通って、固定ピン４４と平行に延びている。
【００４４】
カム４は、出力シャフト４２を備えたモータによって支えられた回転軸Ａ４に取り付けられ、モータはアクチュエータ３に固定されている。アクチュエータは、ハンドルを展開する又は引き込むための制御信号を受信するように構成された、コントローラに接続されている。
【００４５】
ここで、本発明の実施例によるドアハンドル制御機構の動作モードを、図５Ａ〜図５Ｄ及び図６を使用して説明する。
【００４６】
本発明の実施例によるハンドル１を作動位置に向けるために、展開制御信号が、コントローラ（図示せず）によってモータ駆動アクチュエータ３に送信される。
【００４７】
図５Ａには、カム４すなわち展開部材の静止角位置が示されている。このカムは、図５Ａの矢印Ｆ１によって示されるように時計回り方向に回転駆動され、その結果、第１のレバー７及び第２のレバー６は、ハンドル１を作動位置に向かって（図５Ａの矢印Ｆ２を参照）並進運動させるために、カムの移動に伴って夫々変位する。
【００４８】
上記のプロセスと同時に、指示としてロック解除信号を、車Ｖｅのドアｐに設けられたラッチに関連する電気ロック解除部材に送信することが指定される。
【００４９】
この作動位置から開始して、ハンドル１を矢印Ｆ２の方向に引っ張ると、次に、ドアを開くために、既知の方法で、ボーデンケーブルを引っ張り、ハンドルを回転させる動作が開始する（図示略）。実際、ボーデンケーブルは、ドアに設けられたラッチにリンクされている。
【００５０】
ハンドルが作動位置に達すると（図５Ｂを参照）、ユーザがハンドルをつかんで引っ張れば、ドアｐが開くようになる。
【００５１】
通常の状態では、すなわち、ハンドルの開口部に物理的な存在が無い場合、続いて、ねじりばね６１及び二重ねじりばね７１が夫々第１のレバー７及び第２のレバー６に作用して、ハンドルを復帰させると同時に、モータは、所定の時間内に、カム４をその最初の静止角位置に向けて移動させる。
【００５２】
この場合、カム４の回転は反時計回り方向に行われる。この運動学的連鎖では、カム４は常にその側面４３が第２のレバー６と接触したままである（図４を参照）。
【００５３】
図５Ｃは、実際には、ハンドルの開口部に氷又は霜（図示せず）などの遮断要素が存在しており、ハンドル１がその静止位置に復帰するのを妨げている状況を示している。この場合、カム４の回転は反時計回りに行われるが、第２のレバー６はカム４との接触を失っている。そのため、ロッド５のピン５１は、カムの反時計回りの回転によって駆動され、カムに向かって第２の長方形の開口部８１２内へ変位することが示されている。
【００５４】
その後、図５Ｄにおいて、ハンドル１が引き込められていないことを検出したコントローラは、アクチュエータ３がカム４の反時計回りの回転を再開するように、アクチュエータ３にオーバートラベル命令を与えることができる。この検出は、任意の方法で行うことができ、例えば、位置センサタイプの検出手段を用いることができる。
【００５５】
このオーバートラベルにより、タイロッド８１をモータ駆動により引っ張るために、ロッド５のピン５１をタイロッド８１のカム４に近い停止位置に向かって移動させ、各第１のレバー７及び第２のレバー６を介して、ハンドル１を押し込む。
【００５６】
静止位置に向かう引き込みの方向は矢印Ｆ３によって示され、オーバーストロークの方向は矢印Ｆ４によって示されている。
【００５７】
理想的には、上記のような静止位置へのモータ駆動による引き込みの指示は、車が動いているときに与えられる。従って、人により知覚されるノイズが低減され、ハンドルの引き込み中にユーザの手が引っ掛かる可能性がないことが保証される。また、これにより、例えばハンドルが図５Ｄのオーバートラベル角位置に保持されている場合の様に、衝突が発生した場合の不要な開口部の存在も回避される。
【産業上の利用分野】
【００５８】
本発明によるドアハンドル制御機構は、図６に示されるように、任意の車のドアｐで使用することができる。
【参考文献】
【００５９】
ＥＰ３１０６５９６Ａ１
ＷＯ２０１１／０８６１４４Ａ１
【図１】
2021528581.tif 000003
【図２Ａ】
2021528581.tif 000004
【図２Ｂ】
2021528581.tif 000005
【図３】
2021528581.tif 000006
【図４】
2021528581.tif 000007
【図５Ａ】
2021528581.tif 000008
【図５Ｂ】
2021528581.tif 000009
【図５Ｃ】
2021528581.tif 000010
【図５Ｄ】
2021528581.tif 000011
【図６】
2021528581.tif 000012
【手続補正書】
【提出日】令和2年1月17日(2020.1.17)
【手続補正１】
【補正対象書類名】明細書
【補正対象項目名】全文
【補正方法】変更
【補正の内容】
【発明の詳細な説明】
【技術分野】
【０００１】
本発明は、ハンドルがドアと同一平面にある静止位置と、ハンドルがドアに対して突出した作動位置との間で移動可能なドアハンドルの制御機構に関する。
【背景技術】
【０００２】
特に自動車産業において、格納ハンドルを備えたドアが知られている。これらには、モータ駆動による展開が可能なものが含まれている。
更に、このハンドルの静止位置から作動位置への移動のために、旋回制御機構又は並進制御機構のいずれかを使用することが知られている。現在は、これらの機構の両方が使用されている。
【０００３】
特許文献１には、旋回制御機構を備えた自動車のドアハンドルが開示されている。この車ドアのハンドルは、
ドアを開けるために、車ドアのロックを作動させるように構成された作動要素と、ドアのロックを解除するために作動要素と協調するように構成された把持要素とを備え、この把持要素は把持部分を含み、
この把持要素は、把持部分がドアの外側パネルと同じ高さになる格納位置と、把持部分がアウターパネルに対して突出し、把持可能となるアクティブ位置との間で移動可能であり、
この把持要素は作動要素と協働し、ハンドルが作動要素を駆動してロックを作動させ、ドアのロックを解除する開放位置とし、そして最後に、駆動機構及び把持要素と協働するアクチュエータレバーにより、把持要素が格納位置とアクティブ位置との間で駆動される。
ハンドルは、グリップ要素が開放方向に沿って引っ張られると、グリップ要素が作動要素を駆動し、次に、ロックを作動させてドアのロックを解除するように構成されている。この格納式ドアハンドルの機構は、本質的にモータ駆動であり、ハンドルを格納に静止させ、また、アクティブな位置に向けて、すなわち、把持可能な位置に向けて駆動する。ドアを開けた後、ハンドルは、バネなどの弾性手段を使用して、格納位置に戻される。
【０００４】
更に、特許文献２には、並進制御機構を備えた自動車のドアハンドルとして、収納状態、展開状態、及び動作状態の３つの間で移動可能なハンドルを含む格納式ハンドル配置に関する発明が開示されている。この装置は、夫々が支持構造及びハンドルにリンクされた第１及び第２の手段を有する機構によって制御される。
これらの手段の少なくとも１つは、展開状態と動作状態との間のハンドルの動きに応答して移動可能なピボット軸を規定するヒンジを介して、支持構造に連結されている。ピボット軸のこの動きにより、例えばボーデンケーブルに作用するクランクを介して、ハンドルに関連付けられたドア又は別のクロージャーのロックを解除できる。
このような並進機構によって開かれる格納ハンドルに関連する発明は、特許文献３、特許文献４にも開示されている。
【先行技術文献】
【特許文献】
【０００５】
【特許文献１】ＥＰ３１０６５９６Ａ１
【特許文献２】ＷＯ２０１１／０８６１４４Ａ１
【特許文献３】ＤＥ１０２０１６１１２６８９Ａ１
【特許文献４】ＵＳ２０１６２９８３６６Ａ１
【発明の概要】
【発明が解決しようとする課題】
【０００６】
特許文献１に記載の装置の欠点は、ハンドルが静止位置からアクティブ位置に通過するために延びる開口部に、何らかの物質が存在する場合、弾性手段は、ハンドルをその静止位置に向かって引っ込めてドアと同じ高さにするには十分な力が無いということである。最悪の事例は、開口部における氷や霜の存在である。
【０００７】
前記並進制御機構には、かなりの負荷に耐えるという利点があるが、面倒であるという欠点がある。特許文献２で提示されているものは比較的コンパクトであるが、これはモータ駆動のアクチュエータがないためである。
【０００８】
従って、従来技術の大きな問題は、ハンドルの展開と引き込みのために、人のアクションが必要なことである。更に、ハンドルが静止位置からアクティブ位置に通過するために延びる開口部に物理的なものが存在する場合、弾性手段の力が、ハンドルをドアと同じ高さの静止位置に向かって引っ込めるのに十分ではない可能性がある。最も恐れられている例は、氷や霜の存在である。
【課題を解決するための手段】
【０００９】
本発明によれば、上記の問題に対処するために、特に、ラッチのロックを解除するのに使用された後、ハンドルの引き込みを妨げる望ましくない物理的な存在の問題を回避するために、ハンドルがドアと同一平面にある静止位置と、ハンドルがドアに対して突出した作動位置との間で移動可能なドアハンドルが提供される。このハンドルは、制御機構を備えており、前記制御機構は、
ハンドルによって支えられた第１の回転軸を中心に回転するように取り付けられた第１のレバーと、
ハンドルの長手方向において、第１の回転軸に平行で第１の回転軸から離れた位置でハンドルによって保持された第２の回転軸の周りを旋回するように取り付けられた、第２のレバーと、
ヒンジ付き連結部によって第１のレバー及び第２のレバーに連結された端部を有する、少なくとも１つのタイロッドであって、その少なくとも１つは、このタイロッドに平行な第１の長方形の開口部を有するタイロッドと、
ハンドルを静止位置に向かって弾性的にバイアスする弾性バイアス手段と、
モータ駆動のアクチュエータを使用してハンドルを静止位置と作動位置の間で移動させるために、その軸を中心に回転するように構成されたカムと、
カムをタイロッドにリンクし、ロッドの平面に対して垂直に延びるピンを含むロッドとを含み、
前記第１のレバー、前記第２のレバー、前記タイロッド、及び前記ハンドルが、変形可能なアセンブリを形成し、その変形によって前記ハンドルが並進変位するものにおいて、
前記タイロッドは、更に、前記第１の長方形の開口部に平行な第２の長方形の開口部を備えており、弾性バイアス手段が十分でない場合に、カムのオーバートラベルによって、ハンドルをモータ駆動により作動位置から静止位置にスライドさせるために、ロッドのピンが第２の長方形の開口部を通って延びるように構成されていることを特徴とする。
【００１０】
望ましくは、本発明によるドアハンドルは、第１のレバーの回転軸、第２のレバーの回転軸、及びカムの回転軸の全てが互いに平行である。これにより、ドアの幅ではなく長さに関してハンドルが占める体積を拡張できると同時に、コンパクトさが増し、かさばりが軽減される。
【００１１】
ハンドルを静止位置から作動位置に向かって引き抜く際の安定性を高めるために、本発明によるドアハンドルは、ハンドルの長手方向に延びる中央平面のいずれかの側に配置され、夫々がヒンジ付き連結部によって第１のレバー及び第２のレバーに連結された端部を有する２つのタイロッドを含み、
中央平面の  両端の少なくとも１つには、
タイロッドに平行な第１の長方形の開口部と、
第１の長方形の開口部に平行な第２の長方形の開口部がある。
【００１２】
好ましくは、本発明によるドアハンドルは、第１の長方形の開口部に平行であり、ロッドのピンが延びる第２の長方形の開口部は、第１の長方形の開口部の長さよりも長い長さを有する。実際に、２つの長方形の開口部には異なる機能がある。
第１の開口部は、それ自体が既知のラッチのロック解除機能を提供し、この機能は、作動位置に達したときにドアを開けたいユーザが、（ボーデンケーブルを引っ張ることにより）加えた力に伴う回転によって実現される。第２の開口部は、本発明に関するものであり、カムの移動により異なる位置の採用を可能にし、カムが異なる角度位置にある間、ロッドのピンが第２の開口部内を移動できる。
従って、第１の長方形の開口部におけるロック解除に必要な移動は、ロック解除を容易にするために短いことが好ましく、一方、第２の開口部における移動及びモータ駆動による引き込みのためのオーバートラベルは、ハンドルが把持を容易にするのに十分に展開されなければならないため、長いほうが良い。
【００１３】
好ましくは、本発明によるドアハンドルは、カムが第２のレバーに横方向の接触面ベアリングを有し、ハンドルをスライドさせるためにその軸の周りを回転させるようになっている。並進運動を生成するためのこの恒久的な接触は、取り付けられたピンによるドライブよりも少ないノイズを生成する。これは、ドアを開くために使用される度にハンドルを展開するための永続的な機能である。
【００１４】
更に、また好ましくは、カムは、平面に垂直な方向において、装着によってロッドを受け入れるように構成された固定ピンが出てくる平面を有する。これにより、モータ駆動により、オーバートラベルが発生した場合にタイロッドを引っ張ることができ、機構が破損する可能性が低くなる。
【００１５】
よりコンパクトにするために、理想的には、本発明によるハンドルのカムは、アクチュエータの電気モータの出力軸に直接取り付けられる。
【００１６】
好ましくは、本発明によるドアハンドルは、ハンドルの並進変位を引き起こす変形可能なアセンブリの変形が、バイアス手段の効果及び／又はモータ駆動アクチュエータの効果によって可逆的であるように構成される。この可逆性により、デフォルトで弾性手段を使用でき、氷や霜などの物理的な存在によって閉塞した場合は、モータ駆動によりハンドルを復帰できる。
【００１７】
好ましくは、ハンドルを静止位置に向かって弾性的にバイアスするための手段は、レバーにその静止角位置に向かってバイアス力を加えるために、第２のレバーの回転軸に固定され、ハンドルの固定支持部に支持された少なくとも１つのねじりばねを含んでいる。
【００１８】
好ましくは、ハンドルを静止位置に向かって弾性的にバイアスする弾性バイアス手段は、さらに、第２のエネルギー供給を有するために、そしてより堅牢性にするために、第１のレバーの回転軸に固定され、第１のレバーに第２のバイアス力を及ぼすようにハンドルの固定支持部に支持される二重ねじりばねを備えている。
【００１９】
好ましくは、本発明は、ドアに固定された本発明によるドアハンドルを含む自動車のドアもカバーする。
【００２０】
本発明はまた、本発明による機構を備え、以下の連続するステップを含む、ドアハンドルを変位させるための方法に関する。
ハンドルの静止位置から開始して、カムが静止角位置から作動角位置に向かって第１方向に回転し、第２のレバーの回転とハンドルの作動位置への並進変位を引き起こし、
ハンドルの作動位置から開始して、カムが第１の方向とは反対の第２の静止角位置に戻り、そして、
変形可能なアセンブリは、ハンドルをその静止位置に向かって弾性的にバイアスするための手段によって加えられるバイアス力を受ける。
もし、弾性バイアス手段によって加えられる力がハンドルをその静止位置に向けてバイアスするのに十分でない場合、アクチュエータは、ロッドのピンを通してタイロッドを引っ張ってハンドルを復帰させるために、カムによるモータ駆動回転により、第１の方向とは反対の第２の方向へのオーバートラベルを実行する。
【００２１】
好ましくは、本発明による方法における、ハンドル制御機構が自動車のドアに固定され、カムのモータ駆動による回転を引き起こすアクチュエータは、自動車が動いているときにのみオーバートラベルを実行する。車が動いているときにこの方法が実行されると、多くの利点が得られる。
【００２２】
実際、まず第１に、これは、ユーザがまだハンドルの開口部に指を置いたままで、アクチュエータに指が引っ掛かっている間に、弾性手段の力よりも大きな力がかかるモータ駆動によるハンドルの引き込みが発生するのを回避することを可能にする。
【００２３】
第２に、車が動き始めたら、アクチュエータにより生ずるノイズは、ユーザによってあまり知覚されないであろう。
【００２４】
最後に、第３に、運動学を電子制御してオーバートラベル角位置でそれを遮断することにより、慣性効果によってハンドルが外れるのを防ぐことができる。従って、事故の際にドアが開かれるのを回避するための追加的な手段が得られる。
【００２５】
本発明の他の特徴及び利点は、以下の説明を読むことで明らかになる。
【図面の簡単な説明】
【００２６】
【図１】本発明の一実施例による、ドアハンドルの斜視図である。
【図２Ａ】前記ハンドルの、自動車のドアへ固定されるように構成されたサポートを示す図である。
【図２Ｂ】前記ハンドルの、第１のレバー及びその弾性バイアス手段の拡大図である。
【図３】本発明による前記ドアハンドルの、背面図である。
【図４】本発明による前記ドアハンドルの制御機構における、変形可能なアセンブリを示す斜視図である。
【図５Ａ】本発明による前記ドアハンドルが、作動位置でブロックされる場合の、操作の１つのステップを示す図である。
【図５Ｂ】前記ドアハンドルが、作動位置でブロックされる場合の、操作の他のステップを示す図である。
【図５Ｃ】前記ドアハンドルが、作動位置でブロックされる場合の、操作の他のステップを示す図である。
【図５Ｄ】前記ドアハンドルが、作動位置でブロックされる場合の、操作の他のステップを示す図である。
【図６】ドアに固定された本発明による前記ハンドルを備えた、車を示す図である。
【発明を実施するための形態】
【００２７】
添付の図面を参照して、本発明の一実施例を詳述する。
本発明は、ドアのハンドル１に関する。このハンドル１は、ハンドルがドアと同一平面上にある静止位置と、ハンドルがドアに対して突出した作動位置との間で移動可能である。
【００２８】
制御機構は、ハンドルをドアへ固定するためのボス２１を備えた、ケース又はサポート２を備えている（図２Ａを参照）。ハンドル１は、ドアの開口部内をスライドするようにして、このサポートに取り付けられる。
【００２９】
図１に、本発明の実施例によるハンドル１が示されている。
このハンドルの変位機構は、第１のレバー７を含んでいる。この第１のレバーは、第１のヒンジ付き連結部８０１によってタイロッド８１に連結されており、かつ、ハンドルによって保持された軸Ａ７（図３を参照）にヒンジで取り付けられている。
【００３０】
より具体的に説明すると、第１のレバー７は、大きな安定性を確保するために、中央平面に関して対称に、ハンドルの長手方向に沿って延びる、２つのタイロッド８１及び８２に連結されている。そして、第１のヒンジ付き連結部８０１の反対側の端部に、タイロッド８１および８２がヒンジによって連結されている第２のレバー６がある。これらのヒンジは、タイロッド８１および８２のそれぞれに形成され、第２のレバー６によって支えられ、これらのタイロッドに平行に延びる第２のヒンジ付き連結部８０２の長方形の開口部８１１に取り付けられた回転軸Ａ６（図３を参照）を備えている。
【００３１】
従って、第２のヒンジ付き連結部８０２の長方形の開口部は、タイロッドの長手方向において、各タイロッド８１、８２にクリアランスを与える。
もちろん、例えば図３及び図４に示すように、本発明には、１つのタイロッドに１つの単一のクリアランスが必要である。
【００３２】
また、図１において、本発明によるドアハンドル制御機構には、カム４によりレバー６及び７並びにタイロッド８１及び８２を変形させるための、第２のレバー６に直接軸支された、アクチュエータ３が存在する（図３及び図４を参照）。
【００３３】
実際、第１のレバー７は、ハンドル１の並進展開の安定性のためのサポートとして機能し、一方、第２のレバー６は、カム４を直接支えるレバーである。
【００３４】
図１に、軸Ａ６に沿って配置された２つのねじりばね６１が示されている。これらは、ハンドルがラッチのロックを解除してドアを開くために使用されると、ドアハンドルを作動位置から静止位置に向かってバイアスするように機能する。
【００３５】
図２Ａには、ケース又はサポート２、並びにハンドルと、自動車のドア上のサポートとによって構成されるドアハンドルのセットを固定するための、固定ボス２１が示されている。
【００３６】
図２Ｂには、ハンドルがラッチのロックを解除してドアを開くために使用された後、レバー７を作動位置から静止位置に向かって弾性的にバイアスする手段として機能する、二重ねじりばね７１が強調表示されている。
【００３７】
図３は、本発明によるハンドルの機構に並進展開の機能を持たせると同時に、コンパクト性を向上させるための、互いに平行な、第１のレバー７の回転軸Ａ７、第２のレバー６の回転軸Ａ６、及び、カム４の回転軸Ａ４を示している。
【００３８】
本発明による装置は、車（Ｖｅ）のドア（ｐ）内の地面に垂直な平面、すなわち別の機能のために意図された空間を占める可能性が高くより扱いにくい垂直な平面で延びるものではなく、地面に平行な平面に縦方向に延びるという利点がある。
【００３９】
同じ図３には、カム４をタイロッド８１に連結する、ロッド５が示されている。このロッド５は、図４にも示され、このロッド５の平面に対して垂直に延びるピン５１がある。
【００４０】
図４には、変形可能なアセンブリを構成する第１のレバー７、第２のレバー６、及びタイロッド８１、８２が示されており、それらの変形により、ハンドル１の並進変位を引き起こす。
【００４１】
この変位の動きは、平面４１及び横方向接触面４３を有するカム４によって生成される。装着時にロッド５を受け入れるように構成された固定ピン４４は、平面４１に垂直な方向において、平面４１から外に伸びている。
【００４２】
ロッド５の反対側にはピン５１があり、このピンは、タイロッド８１に設けられた第２の長方形の開口部８１２を通って、固定ピン４４と平行に延びている。
【００４３】
カム４は、出力シャフト４２を備えたモータによって支えられた回転軸Ａ４に取り付けられ、モータはアクチュエータ３に固定されている。アクチュエータは、ハンドルを展開する又は引き込むための制御信号を受信するように構成された、コントローラに接続されている。
【００４４】
ここで、本発明の実施例によるドアハンドル制御機構の動作モードを、図５Ａ〜図５Ｄ及び図６を使用して説明する。
【００４５】
本発明の実施例によるハンドル１を作動位置に向けるために、展開制御信号が、コントローラ（図示せず）によってモータ駆動アクチュエータ３に送信される。
【００４６】
図５Ａには、カム４すなわち展開部材の静止角位置が示されている。このカムは、図５Ａの矢印Ｆ１によって示されるように時計回り方向に回転駆動され、その結果、第１のレバー７及び第２のレバー６は、ハンドル１を作動位置に向かって（図５Ａの矢印Ｆ２を参照）並進運動させるために、カムの移動に伴って夫々変位する。
【００４７】
上記のプロセスと同時に、指示としてロック解除信号を、車Ｖｅのドアｐに設けられたラッチに関連する電気ロック解除部材に送信することが指定される。
【００４８】
この作動位置から開始して、ハンドル１を矢印Ｆ２の方向に引っ張ると、次に、ドアを開くために、既知の方法で、ボーデンケーブルを引っ張り、ハンドルを回転させる動作が開始する（図示略）。実際、ボーデンケーブルは、ドアに設けられたラッチにリンクされている。
【００４９】
ハンドルが作動位置に達すると（図５Ｂを参照）、ユーザがハンドルをつかんで引っ張れば、ドアｐが開くようになる。
【００５０】
通常の状態では、すなわち、ハンドルの開口部に物理的な存在が無い場合、続いて、ねじりばね６１及び二重ねじりばね７１が夫々第１のレバー７及び第２のレバー６に作用して、ハンドルを復帰させると同時に、モータは、所定の時間内に、カム４をその最初の静止角位置に向けて移動させる。
【００５１】
この場合、カム４の回転は反時計回り方向に行われる。この運動学的連鎖では、カム４は常にその側面４３が第２のレバー６と接触したままである（図４を参照）。
【００５２】
図５Ｃは、実際には、ハンドルの開口部に氷又は霜（図示せず）などの遮断要素が存在しており、ハンドル１がその静止位置に復帰するのを妨げている状況を示している。この場合、カム４の回転は反時計回りに行われるが、第２のレバー６はカム４との接触を失っている。そのため、ロッド５のピン５１は、カムの反時計回りの回転によって駆動され、カムに向かって第２の長方形の開口部８１２内へ変位することが示されている。
【００５３】
その後、図５Ｄにおいて、ハンドル１が引き込められていないことを検出したコントローラは、アクチュエータ３がカム４の反時計回りの回転を再開するように、アクチュエータ３にオーバートラベル命令を与えることができる。この検出は、任意の方法で行うことができ、例えば、位置センサタイプの検出手段を用いることができる。
【００５４】
このオーバートラベルにより、タイロッド８１をモータ駆動により引っ張るために、ロッド５のピン５１をタイロッド８１のカム４に近い停止位置に向かって移動させ、各第１のレバー７及び第２のレバー６を介して、ハンドル１を押し込む。
【００５５】
静止位置に向かう引き込みの方向は矢印Ｆ３によって示され、オーバーストロークの方向は矢印Ｆ４によって示されている。
【００５６】
理想的には、上記のような静止位置へのモータ駆動による引き込みの指示は、車が動いているときに与えられる。従って、人により知覚されるノイズが低減され、ハンドルの引き込み中にユーザの手が引っ掛かる可能性がないことが保証される。また、これにより、例えばハンドルが図５Ｄのオーバートラベル角位置に保持されている場合の様に、衝突が発生した場合の不要な開口部の存在も回避される。
【産業上の利用分野】
【００５７】
本発明によるドアハンドル制御機構は、図６に示されるように、任意の車のドアｐで使用することができる。
【符号の説明】
【００５８】
１    ハンドル
２    ハンドルの固定用サポート
３    モータ駆動アクチュエータ
４    カム
４１    カムの表面
４３    接触面
４４    固定ピン
５    ロッド
５１    ロッドのピン
６    第２のレバー
６１    弾性バイアス手段
７    第１のレバー
７１    弾性バイアス手段
８１    タイロッド
８２    タイロッド
８０１    第１のヒンジ付き連結部
８０２    第２のヒンジ付き連結部
８１１    第１の長方形の開口部
８１２    第２の長方形の開口部
Ａ４    カムの回転軸
Ａ６    第２の回転軸
Ａ７    第１の回転軸
Ｐ    ドア
Ｖｅ    自動車
【手続補正２】
【補正対象書類名】特許請求の範囲
【補正対象項目名】全文
【補正方法】変更
【補正の内容】
【特許請求の範囲】
【請求項１】
ハンドル（１）が、ドア（ｐ）と同一平面上にある静止位置と、前記ドアに対して突き出ている作動位置との間で移動可能な、格納式ドアハンドルであって、前記ハンドル（１）は、制御機構を備えており、
前記制御機構は、
前記ハンドルによって支えられた第１の回転軸（Ａ７）を中心に回転するように取り付けられた、第１のレバー（７）と、
前記ハンドルの長手方向において、前記第１の回転軸（Ａ７）に平行で前記第１の回転軸（Ａ７）から離れた位置で前記ハンドルによって支えられた第２の回転軸（Ａ６）の周りを旋回するように取り付けられた、第２のレバー（６）と、
少なくとも１つのタイロッド（８１、８２）であって、ヒンジ付き連結部（８０１、８０２）によって前記第１のレバー（７）及び前記第２のレバー（６）に連結された端部を有し、その少なくとも１つは前記タイロッド（８１、８２）に平行な第１の長方形の開口部（８１１）を有するタイロッドと、
前記ハンドル（１）を前記静止位置に向かって弾性的にバイアスする弾性バイアス手段（６１、７１）と、
前記ハンドル（１）を、モータ駆動アクチュエータ（３）を使用して前記静止位置と前記作動位置の間で平行移動させるために、回転軸（Ａ４）を中心に回転するように構成されたカム（４）と、
前記カム（４）を前記タイロッド（８１、８２）にリンクし、前記ロッド（５）の平面に対して垂直に延びるピン（５１）を含むロッド（５）とを備え、
前記第１のレバー（７）、前記第２のレバー（６）、前記タイロッド（８１、８２）、及び前記ハンドル（１）が、その変形により前記ハンドル（１）の並進変位を引き起こす変形可能なアセンブリを形成するものにおいて、
前記タイロッド（８１、８２）は、更に、前記第１の長方形の開口部（８１１）に平行な第２の長方形の開口部（８１２）を備えており、前記弾性バイアス手段（６１、７１）が十分でない場合に、前記カム（４）のオーバートラベルによって、前記ハンドル（１）をモータ駆動により前記作動位置から前記静止位置にスライドさせるために、前記ロッド（５）の前記ピン（５１）が前記第２の長方形の開口部を通って延びるように構成されていることを特徴とする格納式ドアハンドル。
【請求項２】
前記第１のレバー（７）の前記軸（Ａ７）、前記第２のレバー（６）の前記軸（Ａ６）、及び前記カム（４）の前記回転軸（Ａ４）は全て互いに平行であることを特徴とする請求項１に記載の格納式ドアハンドル。
【請求項３】
前記ハンドル（１）の長手方向に延びる中央平面のいずれかの側に配置され、夫々が前記第１のレバー（７）及び前記第２のレバー（６）に連結された前記端部を有する２つの前記タイロッド（８１、８２）を備え、
前記タイロッド（８１、８２）の夫々が、前記ヒンジ付き連結部（８０１、８０２）によって前記第１のレバー（７）及び前記第２のレバー（６）に連結された少なくとも１つの前記端部を有し、
少なくとも一方の前記端部は、
前記タイロッド（８１、８２）に平行な第１の長方形の開口部（８１１）と、
前記第１の長方形の開口部（８１１）に平行な第２の長方形の開口部（８１２）とを有することを特徴とする請求項１又は２のいずれかに記載の格納式ドアハンドル。
【請求項４】
前記ロッド（５）の前記ピン（５１）が延びる前記第２の長方形の開口部（８１２）は、前記第１の長方形の開口部（８１１）に平行であり、前記第１の長方形の開口部（８１１）よりも長い長さを有することを特徴とする請求項１〜３のいずれか１項に記載の格納式ドアハンドル。
【請求項５】
前記カム（４）は、前記ハンドル（１）をスライドさせるために前記軸（Ａ６）の周りを回転させるように、前記第２のレバー（６）を支える横方向の接触面（４３）を有することを特徴とする請求項１〜４のいずれか１項に記載の格納式ドアハンドル。
【請求項６】
前記カム（４）は、平面（４１）を有し、前記平面（４１）に、この平面（４１）に対して垂直な方向から装着によって前記ロッド（５）を受け入れるように構成された固定ピン（４４）を有することを特徴とする請求項１〜５のいずれか１項に記載の格納式ドアハンドル。
【請求項７】
前記カム（４）は、前記モータ駆動アクチュエータ（３）の電気モータの出力軸に直接取り付けられていることを特徴とする請求項１〜６のいずれか１項に記載の格納式ドアハンドル。
【請求項８】
前記変形が前記ハンドル（１）の前記並進変位を引き起こす前記変形可能なアセンブリは、前記変形がバイアス手段（６１、７１）の効果によって及び／又は前記モータ駆動アクチュエータ（３）の効果によって可逆的であるように構成されていることを特徴とする請求項１〜７のいずれか１項に記載の格納式ドアハンドル。
【請求項９】
前記ハンドル（１）を前記静止位置に向かって弾性的にバイアスする前記弾性バイアス手段（６１、７１）は、前記第２のレバー（６）の前記回転軸（Ａ６）に固定され、前記第２のレバー（６）に前記静止位置に向かってバイアス力を加えるための前記ハンドルの固定用サポート（２）に支持された少なくとも１つのねじりばね（６１）を含むことを特徴とする請求項１〜８のいずれか１項に記載の格納式ドアハンドル。
【請求項１０】
前記ハンドル（１）を前記静止位置に向かって弾性的にバイアスする前記弾性バイアス手段（６１、７１）は、前記第１のレバー（７）の前記回転軸（Ａ７）に固定され、前記第１のレバー（７）に前記静止位置に向かってバイアス力を加えるための前記ハンドルの固定用サポート（２）に支持された少なくとも１つの二重ねじりばね（７１）を含むことを特徴とする請求項１〜９のいずれか１項に記載の格納式ドアハンドル。
【請求項１１】
前記ドア（ｐ）に固定された前記請求項１〜１０のいずれか１項に記載のハンドル（１）を備える自動車（Ｖｅ）。
【請求項１２】
請求項１〜１１のいずれか１項に記載のドアハンドル（１）を移動させるための操作方法であって、
前記ハンドル（１）の前記静止位置から作動を開始して、前記カム（４）が、前記第２のレバー（６）の回転およびその前記作動位置への前記ハンドル（１）の前記並進変位を引き起こすために、前記静止位置から前記作動角位置に向かって第１の方向に回転し、
前記ハンドル（１）の前記作動位置から開始して、前記カムが前記第１の方向とは反対の第２の方向に戻り、前記静止位置に戻り、前記変形可能なアセンブリが、前記ハンドル（１）を前記静止位置に向かって弾性的にバイアスするために、前記弾性バイアス手段（６１、７１）によって加えられるバイアス力を受け、
もし、前記弾性バイアス手段（６１、７１）によって加えられる前記バイアス力が、前記ハンドル（１）を前記静止位置に向けてバイアスするのに十分でない場合、
前記モータ駆動アクチュエータ（３）は、前記ロッド（５）の前記ピン（５１）を介して前記タイロッド（８１、８２）を引っ張って、前記ハンドル（１）を復帰させるために、前記第１の方向とは反対の前記第２の方向に、前記カム（４）カムによるモータ駆動回転により前記オーバートラベルを実行することを特徴とするドアハンドル（１）を移動させるための操作方法。
【請求項１３】
前記ハンドル（１）前記制御機構は自動車のドアに固定されており、前記モータ駆動アクチュエータ（３）は前記カム（４）による前記モータ駆動回転を引き起こし、前記自動車が動いているときにのみ前記オーバートラベルを実行することを特徴とする請求項１２に記載のドアハンドル（１）を移動させるための操作方法。
【手続補正３】
【補正対象書類名】図面
【補正対象項目名】全図
【補正方法】変更
【補正の内容】
【図１】
2021528581.tif 000013
【図２Ａ】
2021528581.tif 000014
【図２Ｂ】
2021528581.tif 000015
【図３】
2021528581.tif 000016
【図４】
2021528581.tif 000017
【図５Ａ】
2021528581.tif 000018
【図５Ｂ】
2021528581.tif 000019
【図５Ｃ】
2021528581.tif 000020
【図５Ｄ】
2021528581.tif 000021
【図６】
2021528581.tif 000022
【国際調査報告】
2021528581.tif 000023
2021528581.tif 000024
2021528581.tif 000025
2021528581.tif 000026